(57)【特許請求の範囲】
【請求項１】
本体を構成するベースの前面に装着される前面パネルの前面および上面と、これら前面および上面との間に夫々吸込口を設け、前面下部に吹出口を設け、これら吸込口と吹出口とを結ぶ空気通路に、垂直部と、同垂直部の上端を後方に傾斜した後方傾斜部と、同後方傾斜部の後端を下方に傾斜した下方傾斜部とからなる熱交換器と、送風ファンとを設け、前記前面および上面間の吸込口と前記後方傾斜部との間に電気集塵機を配置し、前記前面の吸込口に回動自在に軸支されて第一の状態で同吸込口を隠蔽し、第二の状態で同吸込口を開放するように配置された第一吸込ルーバと、前記上面の吸込口に回動自在に軸支されて第一の状態で同吸込口を隠蔽し、第二の状態で同吸込口を開放するように配置された第二吸込ルーバとを備え、前記空気通路の一部を形成し、前記送風ファンの後部と前記吹出口の下部とを結ぶリアガイダが、その後部をなす固定リアガイダと、同固定リアガイダに連続するように後部が支軸部により回動自在に軸支された可動リアガイダとで構成され、運転停止時または空気清浄運転時に、前記第一吸込ルーバおよび前記第二吸込ルーバを停止位置のまま前記第一の状態にして、前記前面パネルの前面および上面の間の吸込口から室内空気を吸い込む一方、前記可動リアガイダは、その先端部が前記固定リアガイダおよび前記可動リアガイダを結ぶ仮想平面の上位に停止するように軸支し、冷暖房運転時に、前記第一吸込ルーバおよび前記第二吸込ルーバを前記第二の状態に回動して、前記前面および上面の吸込口を夫々全開する一方、前記可動リアガイダを、前記停止位置から下方に回動するようにしたことを特徴とする空気調和機。
【請求項２】
空気清浄運転を優先させた冷暖房運転時に、前記第一吸込ルーバおよび前記第二吸込ルーバを前記第二の状態に回動して、前記前面および上面の吸込口を夫々半開する一方、前記可動リアガイダを、前記停止位置から下方に回動するようにしたことを特徴とする請求項１に記載の空気調和機。
【請求項３】
除湿運転時に、前記第一吸込ルーバを停止位置のまま前記第一の状態にして前記前面の吸込口を全閉する一方、前記第二吸込ルーバを前記第二の状態に回動して前記上面の吸込口を全開する一方、前記可動リアガイダは、その先端部が前記固定リアガイダおよび前記可動リアガイダを結ぶ仮想平面の上位に停止するようにしたことを特徴とする請求項１に記載の空気調和機。
【請求項４】
前記第一吸込ルーバが、同第一吸込ルーバに立設された第一連係アームと、同第一連係アームの先端部に連係する第一アーム連係部を備え、第一ルーバ駆動部が連係する第一ルーバ連係部を備えて前記前面パネルに上下動自在に保持される第一スライド板とからなる第一連動部により連動され、前記第二吸込ルーバが、同第二吸込ルーバに立設された第二連係アームと、同第二連係アームの先端部に連係する第二アーム連係部を備え、第二ルーバ駆動部が連係する第二ルーバ連係部を備えて前記前面パネルに前後動自在に保持される第二スライド板とからなる第二連動部により連動されてなることを特徴とする請求項１乃至請求項３の何れかに記載の空気調和機。
【請求項５】
前記第一ルーバ駆動部が、前記第一ルーバ連係部に先端部が連係される一方、基端部に接続部を形成した第一カムと、同第一カムの接続部に駆動軸を接続した第一駆動モータとで構成され、前記第二ルーバ駆動部が、前記第二ルーバ連係部に先端部が連係される一方、基端部に接続部を形成した第二カムと、同第二カムの接続部に駆動軸を接続した第二駆動モータとで構成されてなることを特徴とする請求項４に記載の空気調和機。
【請求項６】
前記可動リアガイダを駆動する駆動リヤモータを備え、前記リアガイダの背面側に配置してなることを特徴とする請求項１乃至請求項３の何れかに記載の空気調和機。
【請求項７】
前記第一駆動モータ、前記第二駆動モータおよび前記駆動リヤモータが、夫々ステッピングモータからなることを特徴とする請求項5乃至請求項６の何れかに記載の空気調和機。
【発明の詳細な説明】
【０００１】
【発明の属する技術分野】
本発明は、空気調和機に係わり、より詳細には、ベースの前面に装着される前面パネルの前面および上面に第一吸込ルーバおよび第二吸込ルーバにより開閉される吸込口を設け、これら前面および上面の間にも吸込口を設け、前面下部に可動リアガイダを備えた吹出口を設け、これら吸込口と吹出口とを結ぶ空気通路に、熱交換器と送風ファンと電気集塵機とを設け、前記第一吸込ルーバおよび前記第二吸込ルーバを開閉して吸込空気抵抗を減少させるとともに、前記可動リアガイダを回動して送風抵抗を減少させるようにした構造に関する。
【０００２】
【従来の技術】
従来の空気調和機は、例えば図１で示すように、本体を構成するベース１の前面に装着される前面パネル２の前面および上面と、これら前面および上面との間に夫々吸込口３および3'を設け、前面下部に吹出口４を設け、これら吸込口３および3'と吹出口４とを結ぶ空気通路に、垂直部5aと、同垂直部5aの上端を後方に傾斜した後方傾斜部5bと、同後方傾斜部5bの後端を下方に傾斜した下方傾斜部5cとからなる熱交換器５と、送風ファン６とを設け、同送風ファン６の後部と前記吹出口４の下部とを結ぶ前記空気通路の一部を形成するリヤガイダは、その後部をなす固定リアガイダ16と、同固定リアガイダ16に連続するように後部が支軸部17a により回動自在に軸支された可動リアガイダ17とで構成し、前記前面および上面間の吸込口3'と前記後方傾斜部5bとの間に電気集塵機７を配置した構成となっており、空気調和機としての性能を向上させるため、前記吸込口３および3'から吸い込まれる吸込空気抵抗を減少させること、および、前記リヤガイダによる送風抵抗を減少させることが、省エネルギを実現する上でも重要なテーマとなっていた。
【０００３】
しかしながら、とくに前記リヤガイダによる送風抵抗を減少させるため、例えば同リヤガイダの傾斜角度を急角度に設定した場合、図１で示す上下寸法Ａが大きくなって前記可動リアガイダ17の先端部が下方に位置するようになって、空気調和機本体としての上下寸法が大型化してコスト的に不利になってしまうと同時に、意匠性を損ねてしまうという問題を有していた。
【０００４】
【発明が解決しようとする課題】
本発明においては、上記の問題点に鑑み、ベースの前面に装着される前面パネルの前面および上面に第一吸込ルーバおよび第二吸込ルーバにより開閉される吸込口を設け、これら前面および上面の間にも吸込口を設け、前面下部に吹出口を設け、これら吸込口と吹出口とを結ぶ空気通路に、熱交換器と送風ファンと電気集塵機とを設け、前記第一吸込ルーバおよび前記第二吸込ルーバを開閉して吸込空気抵抗を減少させるとともに、前記可動リアガイダを回動して送風抵抗を減少させるようにした空気調和機を提供することを目的とする。
【０００５】
【課題を解決するための手段】
本発明は、上記課題を解決するため、本体を構成するベースの前面に装着される前面パネルの前面および上面と、これら前面および上面との間に夫々吸込口を設け、前面下部に吹出口を設け、これら吸込口と吹出口とを結ぶ空気通路に、垂直部と、同垂直部の上端を後方に傾斜した後方傾斜部と、同後方傾斜部の後端を下方に傾斜した下方傾斜部とからなる熱交換器と、送風ファンとを設け、前記前面および上面間の吸込口と前記後方傾斜部との間に電気集塵機を配置し、前記前面の吸込口に回動自在に軸支されて第一の状態で同吸込口を隠蔽し、第二の状態で同吸込口を開放するように上下に配置された複数の第一吸込ルーバと、前記上面の吸込口に回動自在に軸支されて第一の状態で同吸込口を隠蔽し、第二の状態で同吸込口を開放するように前後に配置された複数の第二吸込ルーバとを備え、前記空気通路の一部を形成し、前記送風ファンの後部と前記吹出口の下部とを結ぶリヤガイダが、その後部をなす固定リアガイダと、同固定リアガイダに連続するように後部が支軸部により回動自在に軸支された可動リアガイダとで構成され、
運転停止時または空気清浄運転時に、前記複数の第一吸込ルーバおよび前記複数の第二吸込ルーバを停止位置のまま前記第一の状態にして、前記前面パネルの前面および上面の間の吸込口から室内空気を吸い込む一方、前記可動リアガイダは、その先端部が前記固定リヤガイダおよび前記可動リヤガイダを結ぶ仮想平面の上位に停止するように軸支し、
冷暖房運転時に、前記複数の第一吸込ルーバおよび前記複数の第二吸込ルーバを前記第二の状態に回動して、前記前面および上面の吸込口を夫々全開する一方、前記可動リアガイダを、前記停止位置から下方に回動するようにした構成となっている。
【０００６】
また、空気清浄運転を優先させた冷暖房運転時に、前記複数の第一吸込ルーバおよび前記複数の第二吸込ルーバを前記第二の状態に回動して、前記前面および上面の吸込口を夫々半開する一方、前記可動リアガイダを、前記停止位置から下方に回動するようにした構成となっている。
【０００７】
また、除湿運転時に、前記複数の第一吸込ルーバを停止位置のまま前記第一の状態にして前記前面の吸込口を全閉する一方、前記複数の第二吸込ルーバを前記第二の状態に回動して、前記前面および上面の吸込口を夫々全開する一方、前記可動リアガイダは、その先端部が前記固定リヤガイダおよび前記可動リヤガイダを結ぶ仮想平面の上位に停止するようにした構成となっている。
【０００８】
また、前記複数の第一吸込ルーバが、同複数の第一吸込ルーバに立設された第一連係アームと、同第一連係アームの先端部に連係する第一アーム連係部を備え、第一ルーバ駆動部が連係する第一ルーバ連係部を備えて前記前面パネルに上下動自在に保持される第一スライド板とからなる第一連動部により連動され、
前記複数の第二吸込ルーバが、同複数の第二吸込ルーバに立設された第二連係アームと、同第二連係アームの先端部に連係する第二アーム連係部を備え、第二ルーバ駆動部が連係する第二ルーバ連係部を備えて前記前面パネルに前後動自在に保持される第二スライド板とからなる第二連動部により連動されてなる構成となっている。
【０００９】
また、前記第一ルーバ駆動部が、前記第一ルーバ連係部に先端部が連係される一方、基端部に接続部を形成した第一カムと、同第一カムの接続部に駆動軸を接続した第一駆動モータとで構成され、
前記第二ルーバ駆動部が、前記第二ルーバ連係部に先端部が連係される一方、基端部に接続部を形成した第二カムと、同第二カムの接続部に駆動軸を接続した第二駆動モータとで構成されている。
【００１０】
また、前記リヤガイダの背面に駆動リヤモータを設け、同駆動リヤモータにより前記可動リヤガイダを駆動するようにした構成となっている。
【００１１】
更に、前記第一駆動モータ、前記第二駆動モータおよび前記駆動リヤモータが、夫々ステッピングモータからなる構成となっている。
【００１２】
【発明の実施の形態】
以下、本発明の実施の形態を図面に基づいた実施例として詳細に説明する。
図１と図２とで示すように、本体を構成するベース１の前面に装着される前面パネル２の前面および上面と、これら前面および上面との間に吸込口３および3'を設け、前面下部に吹出口４を設け、これら吸込口３および3'と吹出口４とを結ぶ空気通路に、垂直部5aと、同垂直部5aの上端を後方に傾斜した後方傾斜部5bと、同後方傾斜部5bの後端を下方に傾斜した下方傾斜部5cとからなる熱交換器５と、送風ファン６とを設け、前記前面および上面間の吸込口3'と前記後方傾斜部5bとの間に電気集塵機７を配置し、前記前面の吸込口３に回動自在に軸支されて第一の状態で同吸込口３を隠蔽し、第二の状態で同吸込口３を開放するように上下に配置された複数の第一吸込ルーバ８と、前記上面の吸込口３に回動自在に軸支されて第一の状態で同吸込口３を隠蔽し、第二の状態で同吸込口３を開放するように前後に配置された複数の第二吸込ルーバ９とを備え、
前記空気通路の一部を形成し、前記送風ファン６の後部と前記吹出口４の下部とを結ぶリヤガイダが、その後部をなす固定リアガイダ16と、同固定リアガイダ16に連続するように後部が支軸部17a により回動自在に軸支された可動リアガイダ17とで構成され、
運転停止時または空気清浄運転時に、前記複数の第一吸込ルーバ８および前記複数の第二吸込ルーバ９を停止位置のまま前記第一の状態にして、前記前面パネル２の前面および上面の間の吸込口3'から室内空気を吸い込む一方、前記可動リアガイダ17は、その先端部が前記固定リヤガイダ16および前記可動リヤガイダ17を結ぶ仮想平面の上位に停止するように軸支し、
冷暖房運転時に、前記複数の第一吸込ルーバ８および前記複数の第二吸込ルーバ９を前記第二の状態に回動して、前記前面および上面の吸込口３を夫々全開する一方、前記可動リアガイダ17を、前記停止位置から下方に回動するようにした構成となっており、
これによって、前記複数の第一吸込ルーバ８および前記複数の第二吸込ルーバ９を回動して前記吸込口３を開放することにより、同吸込口３から吸い込まれる吸込空気抵抗を減少させることができるようになるとともに、前記可動リアガイダ17を回動自在に軸支したことにより、同可動リアガイダ17を冷暖房運転や空気清浄運転などの運転モードに応じて回動し、例えば冷暖房運転時には該箇所における送風抵抗を減少させることができるようにした構造となる。
【００１３】
ここで、前記可動リアガイダ17を、図２の破線Ｂで示すように、その先端部が前記固定リアガイダ16および前記可動リアガイダ17を結ぶ略平面部の上位に停止するように軸支した構成について、以下に補足説明をする。
図２の破線Ｂで示す前記リアガイダが、空気調和機本体の上下寸法をコンパクトにするために設定したい位置を示しているのに対し、実際には、図２の角度θで示すように、前記固定リアガイダ16の傾斜角度をゆるやかに設定して送風抵抗を減少させる一方、これに対応して、上記に説明した位置に前記可動リアガイダ17を停止させまたは回動させることにより、該箇所における送風抵抗を減少させることができるのと同時に、空気調和機本体の上下寸法をコンパクト化を実現できるようにした構成となっている。
【００１４】
また、空気清浄運転を優先させた冷暖房運転時に、前記複数の第一吸込ルーバ８および前記複数の第二吸込ルーバ９を前記第二の状態に回動して、前記前面および上面の吸込口３を夫々半開する一方、前記可動リアガイダ17を、前記停止位置から下方に回動するようにした構成となっており、
これによって、半開した前記上面の吸込口３および前記吸込口3'から吸い込まれた吸込空気流が、前記熱交換器５および前記電気集塵機７を適宜効果的に通過できるようになって、集塵効率を高めた冷暖房運転を行えるようにした構造となる。
【００１５】
また、除湿運転時に、前記複数の第一吸込ルーバ８を停止位置のまま前記第一の状態にして前記前面の吸込口３を全閉する一方、前記複数の第二吸込ルーバ９を前記第二の状態に回動して、前記上面の吸込口３を全開する一方、前記可動リアガイダ17は、その先端部が前記固定リヤガイダ16および前記可動リヤガイダ17を結ぶ仮想平面の上位に停止するようにした構成となっており、
これによって、全開した前記上面の吸込口３および前記吸込口3'から吸い込まれた吸込空気流が、前記熱交換器５の垂直部5aおよび、または後方傾斜部5bの一部をゆっくりと通過するようになって、除湿効果を大幅に向上させることができるようにした構造となる。
【００１６】
また、前記複数の第一吸込ルーバ８が、同複数の第一吸込ルーバ８に立設された第一連係アーム8aと、同第一連係アーム8aの先端部に連係する第一アーム連係部10a を備え、後述する第一ルーバ駆動部が連係する第一ルーバ連係部10b を備えて前記前面パネル２に上下動自在に保持される第一スライド板10とからなる第一連動部により連動され、
前記複数の第二吸込ルーバ９が、同複数の第二吸込ルーバ９に立設された第二連係アーム9aと、同第二連係アーム9aの先端部に連係する第二アーム連係部11a を備え、後述する第二ルーバ駆動部が連係する第二ルーバ連係部11b を備えて前記前面パネル２に前後動自在に保持される第二スライド板11とからなる第二連動部により連動されてなる構成となっており、
これによって、前記複数の第一吸込ルーバ８および前記複数の第二吸込ルーバ９を正確に連動させることができるようになって、上記に説明したように、例えば冷暖房運転時には、前記吸込口３を正確に全開して吸込空気を効果的に吸い込めるようになり、例えば空気清浄運転時には、前記吸込口３を正確に全閉して前記吸込口3'から前記電気集塵機７のみを通過する吸込空気を吸い込めるようになって、大幅な集塵効果を奏するようにした構造となる。
【００１７】
また、前記第一アーム連係部10a に連係する第一ルーバ駆動部が、前記第一ルーバ連係部10b に先端部が連係される一方、基端部に接続部を形成した第一カム13と、同第一カム13の接続部に駆動軸を接続した第一駆動モータ12とで構成され、
前記第二アーム連係部11a に連係する第二ルーバ駆動部が、前記第二ルーバ連係部11b に先端部が連係される一方、基端部に接続部を形成した第二カム14と、同第二カム14の接続部に駆動軸を接続した第二駆動モータ15とで構成されており、
これによって、前記第一スライド板10に連係された前記複数の第一吸込ルーバ８と、前記第二スライド板11に連係された前記複数の第二吸込ルーバ９とを、前記第一駆動モータ12および前記第二駆動モータ15により正確に駆動し、前記第一連動部および前記第二連動部により連動させることができて、前記吸込口３を円滑に開閉できるようにした構造となる。
【００１８】
また、前記リヤガイダの背面に駆動リヤモータ18を設け、同駆動リヤモータ18により前記可動リヤガイダ17を駆動するようにした構成となっており、
これによって、冷暖房運転や空気清浄運転などの運転モードに応じて、前記可動リアガイダ17を正確に回動できるようにした構成となっている。
【００１９】
更に、前記第一駆動モータ12、前記第二駆動モータ15および前記駆動リヤモータ18が、夫々ステッピングモータからなる構成となっており、
これによって、前記複数の第一吸込ルーバ８、前記複数の第二吸込ルーバ９および前記可動リアガイダ17を、予め設定した回動角度の範囲を精度よく回動させることができるようにした構造となる。
【００２０】
以上の構成により、図１と図２とで示すように、前記吸込口３から吸い込まれる吸込空気抵抗を減少させることができるようになるとともに、前記リアガイダにおける送風抵抗を減少させることができるようにした構造となり、また、冷暖房運転時や空気清浄運転時などの運転モードに応じて、例えば前記第一吸込ルーバ８および、または前記第二吸込ルーバ９を前記第二の状態にして前記吸込口３を全閉または半開にすることにより、同吸込口３および前記吸込口3'から吸い込まれた吸込空気流が前記熱交換器５および前記電気集塵機７を適宜効果的に通過できるようになって、集塵効率が低下してしまうということがないようにした空気調和機となる。
【００２１】
【発明の効果】
以上説明したように、本発明によれば、ベースの前面に装着される前面パネルの前面および上面に第一吸込ルーバおよび第二吸込ルーバにより開閉される吸込口を設け、これら前面および上面の間にも吸込口を設け、前面下部に吹出口を設け、これら吸込口と吹出口とを結ぶ空気通路に、熱交換器と送風ファンと電気集塵機とを設け、前記第一吸込ルーバおよび前記第二吸込ルーバを開閉して吸込空気抵抗を減少させるとともに、前記可動リアガイダを回動して送風抵抗を減少させるようにした空気調和機となる。
【図面の簡単な説明】
【図１】本発明および従来例による空気調和機の第二の状態を示す断面図である。
【図２】本発明による空気調和機の第一の状態を示す断面図である。
【符号の説明】
１  ベース
２  前面パネル
３，3'  吸込口
４  吹出口
５  熱交換器
5a  垂直部
5b  後方傾斜部
5c  下方傾斜部
６  送風ファン
７  電気集塵機
８  第一吸込ルーバ
8a  第一連係アーム
９  第二吸込ルーバ
9a  第二連係アーム
10  第一スライド板
10a 第一アーム連係部
10b 第一ルーバ連係部
11  第二スライド板
11a 第二アーム連係部
11b 第二ルーバ連係部
12  第一駆動モータ
13  第一カム
14  第二カム
15  第二駆動モータ
16  固定リヤガイダ
17  可動リヤガイダ
17a 支軸部
18  駆動リヤモータ
【図１】
0004253942.tif 000002
【図２】
0004253942.tif 000003